【事件の表示】
　特願２０１０−１４０７１５「ワイヤレスカメラ接続」拒絶査定不服審判事件〔平成２３年　２月１７日出願公開、特開２０１１−　３１０２６〕について、次のとおり審決する。
【結　論】
　本件審判の請求は、成り立たない。
【理　由】
第１　手続の経緯　
　本願は，平成２２年６月２１日（パリ条約による優先権主張２００９年７月３１日，米国（ＵＳ））を出願日とする出願であって，平成２４年４月２４日付けで拒絶理由が通知され，同年７月２３日に意見書の提出及び手続補正がなされ，同年１２月２７日付けで拒絶理由が通知され，平成２５年３月２８日に意見書のみの提出がなされ，同年１０月４日付けで拒絶査定がなされ，平成２６年１月２１日に拒絶査定不服審判の請求がなされ，同時に請求項を削除する手続補正がなされたものである。
　
第２　本願発明
　本願の請求項１に係る発明は，平成２６年１月２１日付け手続補正書により補正された特許請求の範囲の請求項１に記載された次のとおりのものと認める。（以下「本願発明」という。）
「【請求項１】
　取り外し可能なカメラに接続される内視鏡にワイヤレス電力供給するための内視鏡ビデオシステムであって，
　その上に設置される第１の中継器／送受信器を有し，第１の中継器／送受信器は，ワイヤレスエネルギーを送信および受信する，内視鏡と，
　その上に設置される第２の中継器／送受信器を有し，第２の中継器／送受信器は，エネルギーを送信するためにそこに接近させられる時，第１の中継器／送受信器にワイヤレスに接続する，カメラと，
　前記内視鏡上に設置され，前記第１の中継器／送受信器に接続され，前記第１の中継器／送受信器から電力を受信し，観察されるエリアに送信される照明光を生成する内視鏡光源と，
　エリアを示す画像信号を生成するイメージャと，
　カメラに接続され，画像データを受信し，処理するカメラ制御ユニットと
　を具備することを特徴とする内視鏡ビデオシステム。」
　
第３　引用刊行物およびその記載事項
（１）本願の優先権主張の日前に頒布され，原査定の拒絶の理由に引用された刊行物である特開２００８−８６７７７号公報（以下，「引用刊行物１」という。）には，「ユニバーサルスコープ読取器」について図面とともに次の事項が記載されている。（下線は当審により付与した。）　
（１ーア）
「【０００２】
　本発明は，
ビデオカメラが，取り付けられた内視鏡を電子的に識別し，特定の内視鏡パラメータに従ってシステムパラメータを自動的に設定する内視鏡ビデオカメラシステム
　
（１ーイ）
「【０００４】
　通常，画像転送システムの近接端部において，接眼レンズは，人間の直接的な視覚化のために仮想画像を生成する。電荷結合素子（ＣＣＤ）チップのようなカメラ手段は多くの場合，内視鏡に実装される。それは，画像を受信し，ビデオ表示の信号を生成する。外科医が接眼レンズを介して内視鏡に対して直接見ることができるか又は多くの場合見ることができる一方，取り付けカメラを使用してビデオ画面上で画像を観察することは外科医にとってより一般的になっている。従来の，及び
ビデオカメラ配置において，カメラ（以下，“カメラヘッド”と呼ぶ）
　
（１ーウ）
「【００２９】
　図１は，内視鏡の特徴に対する電子表示を記憶及び送信する内視鏡システム１０を示す。一つの有利な実施形態によると，
内視鏡中継器／送受信器２０は，内視鏡１２上に実装され，取り外し可能なカメラヘッド１４上に実装されたカメラヘッド中継器／送受信器２４と交信する
・・・
【００３６】
　上記の通り，
カメラヘッド１４は，内視鏡１２から取り外し可能であり，
カメラヘッド１４は，ケーブル１８によってカメラ制御ユニット（“ＣＣＵ”）１６に接続される。
内視鏡に実装された回路，中継器／送受信器２０及びメモリ装置２２に対する電力は，カメラヘッド１４からの信号から生じたカメラヘッド中継器／送受信器２４から，
電力信号によって供給する
　
（１ーエ）
「【００４５】
　
内視鏡中継器／送受信器２０は，一度カメラヘッド中継器／送受信器２４が近接すると，カメラヘッド中継器／送受信器２４と交信する。
内視鏡中継器／送受信器２０に対する電力は，カメラヘッド中継器／送受信器２４から供給される。
　
（１−オ）
「【００４８】
　一度カメラヘッドが給電，即ち“電源オン”されると，短距離無線信号は，カメラヘッド中継器／送受信器から放射される。
給電されたカメラヘッドが特定の内視鏡１１０に取り付けられている時，カメラヘッド中継器／送受信器から放射する無線信号は，内視鏡中継器／送受信器に電力供給する
ＣＣＵは，カメラヘッドに接続され，内視鏡パラメータに対する電子表示を復号化し，
，システムユーザ１２０に交信できる。
図１
  
　
　上記（１ーア）〜（１ーオ）の記載と図１を参照すると，上記引用刊行物１には，
「カメラヘッド１４が，取り付けられた内視鏡１２を電子的に識別し，特定の内視鏡パラメータに従ってシステムパラメータを自動的に設定する内視鏡ビデオカメラシステムであって，
カメラヘッド１４は，内視鏡１２から取り外し可能であり，
  内視鏡１２上に実装された内視鏡中継器／送受信器２０は，カメラヘッド１４上に実装されたカメラヘッド中継器／送受信器２４が近接すると，カメラヘッド中継器／送受信器２４と交信するもので，
  内視鏡１２に実装された回路，中継器／送受信器２０及びメモリ装置２２に対する電力は，カメラヘッド中継器／送受信器２４から放射する無線信号によって供給され，
カメラヘッド１４は，ケーブル１８によって，内視鏡パラメータに対する電子表示を復号化し，システムユーザ１２０に交信できるカメラ制御ユニット１６に接続された，
内視鏡ビデオカメラシステム。」の発明が記載されているものと認める（以下，「引用発明」という。）。
　
第４　対比・判断 
　本願発明と引用発明とを対比する。
　
ア　引用発明の「カメラヘッド１４」は，本願発明の「カメラ」に相当する。そして，引用発明の「カメラヘッド１４」は，「内視鏡１２から取り外し可能であ」るから，引用発明の「内視鏡１２」は，本願発明の「取り外し可能なカメラに接続される内視鏡」に相当する。
　また，引用発明の「内視鏡ビデオカメラシステム」は，「内視鏡に実装された回路，中継器／送受信器２０及びメモリ装置２２に対する電力は，カメラヘッド中継器／送受信器２４から放射する無線信号によって供給される」るのであるから，本願発明の「内視鏡にワイヤレス電力供給するための内視鏡ビデオシステム」に相当する。
　
イ　引用発明の「内視鏡１２」は，その上に「内視鏡中継器／送受信器２０」が「実装され」るのであるから，本願発明の「その上に設置される第１の中継器／送受信器を有」する「内視鏡」に相当する。
　また，引用発明の「内視鏡１２上に実装された内視鏡中継器／送受信器２０」は，「カメラヘッド中継器／送受信器２４が近接すると，カメラヘッド中継器／送受信器２４と交信するもの」であるから，本願発明の「ワイヤレスエネルギーを送信および受信する」「第１の中継器／送受信器」に相当する。
　
ウ　引用発明の「カメラヘッド１４」は，その上に「カメラヘッド中継器／送受信器２４」が「実装され」るのであるから，本願発明の「その上に設置される第２の中継器／送受信器を有」する「カメラ」に相当する。
　また，引用発明の「内視鏡中継器／送受信器２０は，カメラヘッド１４上に実装されたカメラヘッド中継器／送受信器２４が近接すると，カメラヘッド中継器／送受信器２４と交信するもので」あるから，「カメラヘッド中継器／送受信器２４は，内視鏡中継器／送受信器２０が近接すると，内視鏡中継器／送受信器２０と交信するもの」であることは明らかである。
　そして，引用発明の内視鏡中継器／送受信器２０とカメラヘッド中継器／送受信器２４は，近接すると電力を供給するものであるから，電力を送信することを含むのであり，エネルギーを送信するために近接するともいえる。
　そうすると，引用発明の内在する「内視鏡中継器／送受信器２０が近接すると，内視鏡中継器／送受信器２０と交信する」「カメラヘッド中継器／送受信器２４」は，本願発明の「エネルギーを送信するためにそこに接近させられる時，第１の中継器／送受信器にワイヤレスに接続する」「第２の中継器／送受信器」に相当する。
　
エ　引用発明の「内視鏡パラメータに対する電子表示を復号化し，システムユーザ１２０に交信できるカメラ制御ユニット１６」は，「カメラヘッド１４」「に接続され」たものである。
　そうすると，引用発明の「カメラヘッド１４」「に接続され」た「内視鏡パラメータに対する電子表示を復号化し，システムユーザ１２０に交信できるカメラ制御ユニット１６」と，
本願発明の「カメラに接続され，画像データを受信し，処理するカメラ制御ユニット」とは，
「カメラに接続されるカメラ制御ユニット」の点で共通する。
　
　そうすると，本願発明と引用発明とは，
　「取り外し可能なカメラに接続される内視鏡にワイヤレス電力供給するための内視鏡ビデオシステムであって，
　その上に設置される第１の中継器／送受信器を有し，第１の中継器／送受信器は，ワイヤレスエネルギーを送信および受信する，内視鏡と，
　その上に設置される第２の中継器／送受信器を有し，第２の中継器／送受信器は，エネルギーを送信するためにそこに接近させられる時，第１の中継器／送受信器にワイヤレスに接続するカメラと，
　　カメラに接続されるカメラ制御ユニットと
　を具備する内視鏡ビデオシステム。」で一致し，次の点で相違している。
　
（相違点１）
　カメラに接続される内視鏡について，本願発明が，「前記第１の中継器／送受信器に接続され，前記第１の中継器／送受信器から電力を受信し，観察されるエリアに送信される照明光を生成する内視鏡光源と，
　エリアを示す画像信号を生成するイメージャ」を備えるのに対して，引用発明が，そのような構成を備えていない点。
　
（相違点２）
　カメラ制御ユニットについて，本願発明では，「画像データを受信し，処理する」のに対して，引用発明では，内視鏡パラメータに対する電子表示を復号化し，システムユーザ１２０に交信できる点。
　
（１）相違点１についての検討
　カメラヘッドと内視鏡を交換可能に接続して用いる内視鏡装置において，交換可能な内視鏡内に，ＣＣＤ等の映像装置（イメージャに相当する）と，ＬＥＤ等の照明装置を備え，カメラヘッドから電力を供給するものは周知技術（例えば，特開２００３−２９９６１３号公報（特に【００２４】，【００２８】参照），特開２００１−１３７１８２号公報（特に【００１８】，【００２５】【００２９】参照））である。
　そして，内視鏡ビデオカメラシステムの使用において，映像装置と照明装置とを共に用いることは自明であるから，引用発明に上記周知の内視鏡の構成を採用して，相違点１に記載の本願発明の構成とすることは，当業者が容易に想到するものといえる。
　なお，映像装置と照明装置とを備えた内視鏡に対して，無線で電力を受信し，撮影映像を無線で送信するものは周知技術（例えば，特開２００１−２５１６１１号公報（特に【０００８】，【０００９】参照））であるから，このように組み合わせて構成することに，技術的な困難性はないといえる。
　
（２）相違点２についての検討
　画像データの処理をどこで行うかは，必要な処理内容，基材の処理能力等を勘案して適宜決めることであるから，引用発明において，必要となる画像データの処理を，カメラヘッド１４に接続されたカメラ制御ユニット１６で行うこと，すなわち，相違点２に記載の本願発明の構成とすることは，当業者が必要に応じて適宜成し得る設計事項にすぎない。
　
（３）そして，本願発明の効果も，引用発明及び周知技術から，当業者が予測し得る範囲のものであり，格別顕著なものといえない。　　
　
（４）したがって，本願発明は，引用発明及び周知技術に基づいて当業者が容易に発明をすることができたものであるから，特許法第２９条第２項の規定により，特許を受けることができないものである。　　
　
第５　まとめ　　
　以上のとおり，本願発明は，特許法第２９条第２項の規定により特許を受けることができないから，その他の請求項について言及するまでもなく，本願は拒絶されるべきものである。　　
　よって，結論のとおり審決する。